(57)【特許請求の範囲】
【請求項１】
発光管と、前記発光管を点灯させる点灯装置とを備えた電球用口金を有さない安定器内蔵形蛍光ランプであって、前記点灯装置に電力を供給するための電灯線と、前記電灯線の一端に天井配線器具から電力供給を受けるための接続部材と、前記発光管と前記点灯装置とが一体的に固定されて収容されるグローブとを備え、前記発光管を前記点灯装置の周りを包むように配置したことを特徴とする安定器内蔵形蛍光ランプ。
【請求項２】
前記天井配線器具は照明器具の電源として配線された引掛シーリング又は引掛ローゼットであることを特徴とする請求項１記載の安定器内蔵形蛍光ランプ。
【請求項３】
前記発光管の前記天井配線器具からの距離を変更できるように、前記電灯線を巻き取る手段を有することを特徴とする請求項１又は請求項２記載の安定器内蔵形蛍光ランプ。
【請求項４】
前記天井配線器具に接続できる形状のアダプタを前記接続部材に設けたことを特徴とする請求項１から請求項３のいずれか一に記載の安定器内蔵形蛍光ランプ。
【請求項５】
電気的制御をするスイッチまたはリモートコントロールスイッチまたは人検知センサを有することを特徴とする請求項１から請求項４のいずれか一に記載の安定器内蔵形蛍光ランプ。
【発明の詳細な説明】
【０００１】
【発明の属する技術分野】
本発明は、電球用口金を有さない安定器内蔵形蛍光ランプに係り、特に蛍光ランプと、蛍光ランプを点灯させる点灯装置と、点灯装置に電力を供給する供給装置が、直接または電灯線を介して一体化され、天井配線器具や電源コンセントに接続することが可能なことを特徴とする照明装置に関する。
【０００２】
【従来の技術】
一般に、安定器内蔵形蛍光ランプは電球との代替を目的としているため、電源との接続部分は電球用口金の形状をしている。これらの安定器内蔵形蛍光ランプは、すでに多くの種類が実用化されている。
【０００３】
一方、近年、住宅の天井に照明器具を設置するための天井配線器具の設置が普及してきている。天井配線器具の名称の例を挙げれば、「丸形引掛シーリング」「角形引掛シーリング」「引掛埋込ローゼット」「引掛露出ローゼット」などと呼ばれている。これらの天井配線器具に適合した照明器具は、すでに多くの種類が実用化されている。
【０００４】
上記の照明器具の中には、電球ソケットを有する照明器具も、すでに多くの種類が実用化されており、安定器内蔵形蛍光ランプを住宅照明の光源として使用する場合は、これらの電球ソケットを有する照明器具を使用して、点灯させなければならなかった。
【０００５】
【発明が解決しようとする課題】
しかしながら、安定器内蔵形蛍光ランプを、照明器具を使用して点灯させる照明方法には、以下に述べる問題点がある。即ち、蛍光ランプの目的は光源の供給であるにもかかわらず、安定器内蔵形蛍光ランプを点灯させるためには照明器具が必要で、一般の消費者は、照明器具を購入しなければ照明ができないという費用負担面の問題がある。また、天井が照明器具の重量に耐えられることが必要であり、設置可能な天井部位が限定されるという重量面での問題がある。また、照明器具そのものを目障りと感じる人もおり、室内照明をデザインする上で制約になっているというデザイン面での問題がある。
【０００６】
これらの問題の主な原因は安定器内蔵形蛍光ランプの電源接続部分が電球口金の形状をしており、照明器具側の電源接続部分が電球用ソケットに限定されているためである。
そこで、本発明の目的は、照明器具を使用しないで、配線器具に直接電気接続をすることが可能な照明装置を提供することにより、照明器具を使用した場合と比較して、費用負担面の問題、重量面での問題、デザイン面での問題を解決することにある。
【０００７】
【課題を解決するための手段】
上記目的は、蛍光ランプと、蛍光ランプを点灯させる点灯装置と、点灯装置に電力を供給する供給装置が、直接または電灯線を介して一体化されることを特徴とする照明装置により、達成される。本発明に係る照明装置を使用することにより、照明器具を使用しないで、蛍光ランプを点灯することができるため、上記の「発明が解決しようとする課題」で述べた費用負担面の問題、重量面での問題、デザイン面での問題が解決できる。
【０００８】
また、天井配線器具が、一般に「引掛シーリング」「引掛ローゼット」などと呼ばれている電気接続器具であることを特徴とする本発明に係る照明装置は、より容易に電気接続ができ、利便性の向上を図ることができる。
【０００９】
また、天井配線器具からの距離を変更できることを特徴とする本発明に係る照明装置は、現在、照明器具で実用化されている天井配線器具からの距離を変更でき、かつ一定の位置に保持する技術を使用し、利便性の向上を図ることができる。
【００１０】
また、天井配線器具からアダプタを介して、電気接続することを特徴とする本発明に係る照明装置は、現在、照明器具で実用化されているアダプタを使用し、天井配線器具との適合性の向上を図ることができる。
【００１１】
また、スイッチ、リモートコントロールスイッチ、人検知センサを有することを特徴とする本発明に係る照明装置は、通常、天井配線器具は壁スイッチで、電気的制御をするが、本発明に係る照明装置に上記スイッチ類を付すことで、より利便性の向上を図ることができる。
【００１２】
また、蛍光ランプと前記蛍光ランプを点灯させる点灯装置と電源コンセント用プラグが一体化されており、前記点灯装置に前記電源コンセントを介して電源を供給することを特徴とする本発明に係る照明装置は、電源コンセントから直接、蛍光ランプを点灯することにより、費用負担面の問題、重量面での問題、デザイン面での問題が解決できる。
【００１３】
また、蛍光ランプの発光管を、請求項１記載の点灯装置の周りを包むように配置することを特徴とする照明装置は全方向へ発光することにより、用途の拡大を図ることができる。
【００１４】
【発明の実施の形態】
本発明に係る照明装置の実施の形態につき、その実施例を挙げて、添付図面を参照しながら以下詳細に説明する。
【００１５】
図１は、本発明に係る蛍光ランプと、前記蛍光ランプを点灯させる点灯装置と、前記点灯装置に電力を供給する供給装置が、電灯線を介して一体化され、天井配線器具に接続できることを特徴とする照明装置を示している。図１において、参照符号１は天井配線器具（オス側）、２は電灯線、３はケース、４は点灯装置、５はグローブ、６は発光管、１０は天井、１１は天井配線器具（メス側）である。
【００１６】
図１に示すように、天井１０に配線された、天井配線器具（メス側）１１と、本発明に係る照明装置の天井配線器具（オス側）は電気接続ができる。天井配線器具を電源とする電気は電灯線２を通って、ケース３に覆われた、点灯装置４により点灯し、発光管６を発光する。図１は電球口金方式の安定器内蔵形蛍光ランプと類似の発光分布を有する下面発光タイプで実施した場合の形態を示す。
【００１７】
図２は図1における照明装置の天井配線器具が、一般に「引掛シーリング」「引掛ローゼット」などと呼ばれている電気接続器具である場合の実施の形態を示す。
【００１８】
図３は、蛍光ランプと、前記蛍光ランプを点灯させる点灯装置と、前記点灯装置に電力を供給する供給装置が、一体化され、図１における照明装置の電灯線２を使わないで、天井配線器具と直接に接続する場合の実施の形態を示す。
【００１９】
図４は、図１における照明装置の天井配線器具（オス側）を分離して、製品化した場合の実施の形態を示す。
【００２０】
図５は、図１における照明装置の電灯線２を、照明器具で実用化している天井配線器具からの距離を変更でき、かつ一定の位置に保持する技術を使用した場合の実施の形態を示す。
【００２１】
図６は、図１における天井に設置された天井配線器具（メス側）と、本発明に係る照明装置が有する天井配線器具（オス側）の種類が不一致の場合、アダプタ７を介して、電気接続した場合の実施の形態を示す。
【００２２】
図７は、図１における照明装置に人感知センサ８を付けた場合の実施の形態を示す。
【００２３】
図８は蛍光ランプと前記蛍光ランプを点灯させる点灯装置と電源コンセント用プラグが一体化されており、前記点灯装置に前記電源コンセントを介して電源を供給することを特徴とする照明装置を実施した場合の形態を示す。
【００２４】
図９は、図１における照明装置で、ランプを全方向発光タイプにしたものである。点灯装置４を球形または球形に近い形状にして、ランプの中心部に配置し、発光管６を前記点灯装置の周りを包むように配置することで、発光分布を全方向にすることを特徴とする照明装置を実施した場合の形態を示す。
【００２５】
なお、実施例としての図の記載は、本発明に係る照明装置のランプ部分の形状を球形にしたが、球形のほかに半球形、雫形、アーモンド形、長円・楕円球形、円筒形、円錐形、三角柱〜多角柱、三角錐〜多角錐、直方体、環形、二重環形、平面発光形、曲面発光形、発光管露出形及びそれらの変形及びそれらの部分及びそれらの組合せも本発明から容易に導き出せる実施形態である。
【００２６】
また、上記に、カサを付す、反射板を付す、着色をする、凹凸を付ける、内面・外面に物質を塗布する、装飾をするなどの加工をしたものも、本発明から容易に導き出せる実施形態である。
【００２７】
また、発光管の本数、長さ、太さ、色を含む形状の変更も本発明から容易に導き出せる実施形態である。
【００２８】
以上、本発明の好適な実施例について説明したが、本発明は前記実施例に限定されることなく、本発明の精神を逸脱しない範囲内において種々の設計変更をなし得ることは勿論である。
【００２９】
【発明の効果】
前述した実施例から明らかなように、本発明に係る照明装置を使用することにより、照明器具を使用して、電球口金を有する安定器内蔵形蛍光ランプを点灯する場合と比較して、費用負担面の問題、重量面での問題、デザイン面での問題を解決した照明用光源を提供することが出来る。
【図面の簡単な説明】
【図１】本発明の一実施形態に係る照明装置で、下面発光タイプの場合を示す説明図である。
【図２】本発明の一実施形態に係る照明装置で、天井配線器具が、一般に「引掛シーリング」「引掛ローゼット」などと呼ばれている電気接続器具である場合を示す説明図である。
【図３】  本発明の一実施形態に係る照明装置で、図１における照明装置の電灯線２を使わないで、天井配線器具と直接に接続する場合を示す説明図である。
【図４】本発明の一実施形態に係る照明装置で、図１における照明装置の天井配線器具（オス側）を分離して、製品化した場合を示す説明図である。
【図５】  本発明の一実施形態に係る照明装置で、図１における照明装置の電灯線２を、照明器具で実用化している天井配線器具からの距離を変更でき、かつ一定の位置に保持する技術を使用した場合を示す説明図である。
【図６】本発明の一実施形態に係る照明装置で、アダプタを介して、電気接続した場合を示す説明図である。
【図７】本発明の一実施形態に係る照明装置で、図１における照明装置に人感知センサ８を付けた場合を示す説明図である。
【図８】本発明の一実施形態に係る照明装置で、電源コンセント用のプラグを有するタイプを示す説明図である。
【図９】本発明の一実施形態に係る照明装置で、図１における照明装置で、ランプを全方向発光タイプにした場合を示す説明図である。
【符号の説明】
１  天井配線器具（オス側）
２  電灯線
３  ケース
４  点灯装置
５  グローブ
６  発光管
７  アダプタ
８  人検知センサ
９  電源コンセント用のプラグ
１０  天井
１１  天井配線器具（メス側）
【図１】
0004309085.tif 000002
【図２】
0004309085.tif 000003
【図３】
0004309085.tif 000004
【図４】
0004309085.tif 000005
【図５】
0004309085.tif 000006
【図６】
0004309085.tif 000007
【図７】
0004309085.tif 000008
【図８】
0004309085.tif 000009
【図９】
0004309085.tif 000010